(57)【特許請求の範囲】
【請求項１】
基台(１１)から起立されたフレーム(９)によって該基台(１１)の頂面上方に形成されたカード収納室(１０)を備え、前記カード収納室（１０）の上方におけるフレーム（９）に形成された一対の頂板部（６１）（６１）間に、
前記カード収納室(１０)の下部から上部に押し上げられた最上端のカード体（１）の払い出し方向前方の端部に相対して駆動回転自在に設けられ、かつ外周の一部にカード体を払い出すための突起（６６）が形成された繰り出しローラ手段（６４）と、
前記カード収納室（１０）の上方でカード体（１）の長手方向に延在し、押し上げられた最上端のカード体（1）によって回動するように前記繰り出しローラ手段（６４）の後方付近に設けた軸（６８）によって回動自在に支承され、かつ最上端のカード体（１）と接触する前端が前記繰り出しローラ手段（６４）の側方近傍に位置するとともに後端が前記カード体（１）の長手方向後端付近に位置し、該後端の前記軸（６８）までの長さが前記前端の前記軸（６８）までの長さより長い作動棒（６９）と、
回動する前記作動棒（６９）の後端と接触して作動するように前記カード収納室（１０）の背壁延長線上方の内側付近に配設された前記カード体の押し上げ用モータ（１２）を制御するための第１のセンサ手段（９１）と、
前記繰り出しローラ手段（６４）よりカード体（１）の送り出し側に位置して該繰り出しローラ手段（６４）から繰り出されたカード体（１）を外方に払い出すための送り出しローラ手段（７６）と、
前記送り出しローラ手段（７６）の下方に配置して該送り出しローラ手段（７６）から送り出されるカード体（１）によって一方向に揺動すると共に、前記送り出しローラ手段（７６）から外部に払い出されたカード体（１）の通過によって解放され他方向に揺動復帰する作動体（８５）を検出して前記繰り出しローラ手段（６４）及び前記送り出しローラ手段（７６）の回転用モータ（７１）を制御するための第２のセンサ手段（９２）と、
が配設されてなることを特徴とするカード体の払い出し装置。
【請求項２】
基台(１１)から起立されたフレーム(９)によって該基台(１１)の頂面上方に形成されたカード収納室(１０)を備え、前記カード収納室（１０）の上方におけるフレーム（９）に形成された一対の頂板部（６１）（６１）間に、
前記カード収納室(１０)の下部から上部に押し上げられた最上端のカード体（１）の払い出し方向前方の端部に相対して駆動回転自在に設けられ、かつ外周の一部にカード体を払い出すための突起（６６）が形成された繰り出しローラ手段（６４）と、
前記カード収納室（１０）の上方でカード体（１）の長手方向に延在し、押し上げられた最上端のカード体（1）によって回動するように前記繰り出しローラ手段（６４）の後方付近に設けた軸（６８）によって回動自在に支承され、かつ最上端のカード体（１）と接触する前端が前記繰り出しローラ手段（６４）の側方近傍に位置するとともに後端が前記カード体（１）の長手方向後端付近に位置し、該後端の前記軸（６８）までの長さが前記前端の前記軸（６８）までの長さより長い作動棒（６９）と、
回動する前記作動棒（６９）の後端と接触して作動するように前記カード収納室（１０）の背壁延長線上方の内側付近に配設された前記カード体の押し上げ用モータ（１２）を制御するための第１のセンサ手段（９１）と、
前記繰り出しローラ手段（６４）よりカード体（１）の送り出し側に位置して該繰り出しローラ手段（６４）から繰り出されたカード体（１）を外方に払い出すための送り出しローラ手段（７６）と、
前記送り出しローラ手段（７６）の下方に配置して該送り出しローラ手段（７６）から送り出されるカード体（１）によって一方向に揺動すると共に、前記送り出しローラ手段（７６）から外部に払い出されたカード体（１）の通過によって解放され他方向に揺動復帰する作動体（８５）を検出して前記繰り出しローラ手段（６４）及び前記送り出しローラ手段（７６）の回転用モータ（７１）を制御するための第２のセンサ手段（９２）と、
が配設されてなり、前記送り出しローラ手段（７６）と前記繰り出しローラ手段（６４）とは前記一対の頂板部（６１）（６１）に設けられた有底ケース（６２）に回転可能に軸着され、前記第１のセンサ手段（９１）は前記繰り出しローラ手段（６４）のカード体（１）繰り出し後方側にあって前記有底ケース（６２）に固設され、これら送り出しローラ手段（７６）と繰り出しローラ手段（６４）と第１のセンサ手段（９１）とが前記有底ケース（６２）の長手方向に並設されてなることを特徴とするカード体の払い出し装置。
【発明の詳細な説明】
【０００１】
【発明の属する技術分野】
本発明はテレホンカードなどの磁気カードあるいはＩＣカードなどの厚手のカードあるいはフロッピィ・ディスクなどを払い出すための装置に関する。
とくに本発明は下方から押し上げられて来るカード体を上方から一枚一枚払い出すのに好適なカード体の払い出し装置に関する。
本発明は更に具体的には販売するために多数のカードを積み上げて柱状に収納し最も上のカードのみを払い出す自動販売機用のカード体の払い出し装置に関する。
【０００２】
【従来の技術】
これまでにカード払い出し装置としては種々のものが開発されている。
たとえば実願昭６３−６０１４７（実公平７−２６２７６ならびに米国特許４、９９３、５８７を参照）の明細書にはカード送出装置が開示されている。
このカード送出装置は複数のカードを積層して収容する収納室と該カード積層体を下方から支持する保持板と該保持板の下方に設けられた繰り出しローラとを備えている。
【０００３】
そして当該繰り出しローラとカードの送出口との間には更にカードの送り出しローラが設けられている。かくして前記繰り出しローラによって前記カード積層体の最も下の位置から繰り出されたカードが当該送り出しローラによって前記カード送出口に送り出される。
【発明が解決しようとする課題】
しかしながら上述のカード払い出し装置は払い出し位置が最も下であるためカードの収納枚数が少なくなるという問題点があった。
【０００４】
たとえば自動販売機内に上述のカード払い出し装置を設置して払い出し位置を手の高さにすると上方部のみがカード収納に使用されるため設置スペースに比べてカードの収納枚数が少なくなるという問題点があった。またカードの収容枚数が多い場合には負荷が大になり少ない場合は負荷が小になるなど安定した動作が得られない欠点があった。
本発明は多数のカードを積み上げて最も上の位置からカードを払い出す目的から開発されたものである。
【０００５】
言い換えると本発明は多数のカードを積層し最も上のカードから払い出すようにしてカードの収容枚数を大幅に増加する目的から開発されたものである。
加えて本発明はカードの収容枚数が増減変化されても安定して動作するようにする目的から開発されたものである。
【課題を解決するための手段】
第１の本発明は、基台から起立されたフレームによって該基台の頂面上方に形成されたカード収納室を備え、前記カード収納室の上方におけるフレームに形成された一対の頂板部間に、前記カード収納室の下部から上部に押し上げられた最上端のカード体の払い出し方向前方の端部に相対して駆動回転自在に設けられ、かつ外周の一部にカード体を払い出すための突起が形成された繰り出しローラ手段と、前記カード収納室の上方でカード体の長手方向に延在し、押し上げられた最上端のカード体によって回動するように前記繰り出しローラ手段の後方付近に設けた軸によって回動自在に支承され、かつ最上端のカード体と接触する前端が前記繰り出しローラ手段の側方近傍に位置するとともに後端が前記カード体の長手方向後端付近に位置し、該後端の前記軸までの長さが前記前端の前記軸までの長さより長い作動棒と、回動する前記作動棒の後端と接触して作動するように前記カード収納室の背壁延長線上方の内側付近に配設された前記カード体の押し上げ用モータを制御するための第１のセンサ手段と、前記繰り出しローラ手段よりカード体の送り出し側に位置して該繰り出しローラ手段から繰り出されたカード体を外方に払い出すための送り出しローラ手段と、前記送り出しローラ手段の下方に配置して該送り出しローラ手段から送り出されるカード体によって一方向に揺動すると共に、前記送り出しローラ手段から外部に払い出されたカード体の通過によって解放され他方向に揺動復帰する作動体を検出して前記繰り出しローラ手段及び前記送り出しローラ手段の回転用モータを制御するための第２のセンサ手段と、が配設されてなることを特徴とするカード体の払い出し装置である。
また第２の発明は、基台から起立されたフレームによって該基台の頂面上方に形成されたカード収納室を備え、前記カード収納室の上方におけるフレームに形成された一対の頂板部間に、前記カード収納室の下部から上部に押し上げられた最上端のカード体の払い出し方向前方の端部に相対して駆動回転自在に設けられ、かつ外周の一部にカード体を払い出すための突起が形成された繰り出しローラ手段と、前記カード収納室の上方でカード体の長手方向に延在し、押し上げられた最上端のカード体によって回動するように前記繰り出しローラ手段の後方付近に設けた軸によって回動自在に支承され、かつ最上端のカード体と接触する前端が前記繰り出しローラ手段の側方近傍に位置するとともに後端が前記カード体の長手方向後端付近に位置し、該後端の前記軸までの長さが前記前端の前記軸までの長さより長い作動棒と、回動する前記作動棒の後端と接触して作動するように前記カード収納室の背壁延長線上方の内側付近に配設された前記カード体の押し上げ用モータを制御するための第１のセンサ手段と、前記繰り出しローラ手段よりカード体の送り出し側に位置して該繰り出しローラ手段から繰り出されたカード体を外方に払い出すための送り出しローラ手段と、前記送り出しローラ手段の下方に配置して該送り出しローラ手段から送り出されるカード体によって一方向に揺動すると共に、前記送り出しローラ手段から外部に払い出されたカード体の通過によって解放され他方向に揺動復帰する作動体を検出して前記繰り出しローラ手段及び前記送り出しローラ手段の回転用モータを制御するための第２のセンサ手段と、が配設されてなり、前記送り出しローラ手段と前記繰り出しローラ手段とは前記一対の頂板部に設けられた有底ケースに回転可能に軸着され、前記第１のセンサ手段は前記繰り出しローラ手段のカード体繰り出し後方側にあって前記有底ケースに固設され、これら送り出しローラ手段と繰り出しローラ手段と第１のセンサ手段とが前記有底ケースの長手方向に並設されてなることを特徴とするカード体の払い出し装置である。
【０００７】
図３は図１の要部を拡大して示す概略的な断面端面図である。図４は図３を平面から見た概略的な断面端面図である。図５は図１の他の要部を拡大して示す概略的な断面端面図である。図６は図５を平面から見た概略的な断面端面図である。
図１ならびに図２の下方に示される長方形のボックスは押し上げ用モータたる電気モータ１２を収納するための基台１１である。この基台１１の頂面ほぼ全体には図４に示されるように端面Ｕ形の長いフレーム９が起立して固定されている。
【０００８】
フレーム９は正面側に長手のパネル１３を有し両サイドには細長い窓孔７，８がそれぞれ開口されている。そしてフレーム９背面側の長い大きな開口には長手のパネル１４が開閉自在に配設されている。そしれ更にフレーム９の両サイドには長手方向にそれぞれ一対のレール１５，１６，１７，１８が固定されている。したがって基台１１に起立固定されているフレーム９と、一対のパネル１３、１４と、二対のレール１５〜１８によって該基台１１の頂面上方には長柱形になるカード１の収納室１０が形成されることになる。
【０００９】
これら一対のレール１５〜１８間にはそれぞれ長い細板の操作ロッド２１、２２が上下動自在に配設されている。そして下方の電気モータ１２には減速用のギア装置２３が配設され該ギア装置２３の回転軸には僅かに偏心しているカム２４が外装されている。このカム２４には更に長円板２５が回転自在に外装され該長円板２５の各端にはそれぞれ操作ロッド２１、２２の下端が遊嵌状に枢軸されている。図１ならびに図２の中央に示される符号３１は略十形の板であるカード１積載用の載置台である（図４を参照）。
【００１０】
載置台３１は水平状態が保持されつつカード収納室１０を昇降自在になり該載置台３１の各サイドの中央部は収納室１０から窓孔７，８を介してそれぞれ突出されている。
そして載置台３１の各突出部にはそれぞれ角リング形のケース３２、３３が垂下して固定されている。
各ケース３２、３３内にはそれぞれ一対の楔形のテーパ体３４、３５、３６、３７が垂下して固定されている。
【００１１】
具体的には図３に示されるように一対のレール１５、１６間に操作ロッド２１が配置され該操作ロッド２１と左右のレール１５、１６との間にそれぞれテーパ体３４、３５が配設されている。
そして操作ロッド２１と各テーパ体３４、３５との間にはそれぞれ載置台３１押し上げ用のコロ４１、４１が昇降自在に挿入されている。
さらに各テーパ体３４、３５と左右のレール１５、１６との間にはそれぞれ載置台３１戻り止め用のコロ４３、４３が昇降自在に挿入されている。
【００１２】
また各コロ４１、４３の下にはそれぞれ当該コロを上昇するためのスプリング４５がそれぞれ配設されている。
したがって操作ロッド２１が少しでも上昇されるとコロ４１は予めスプリング４５によって当該操作ロッド２１とテーパ体３４，３５との間に挟まれているためロック状態になって載置台３１は上昇されることになる。
こののち操作ロッド２１が下降されると別のコロ４３が予めスプリング４５によってレール１５，１６とテーパ体３４，３５との間に挟まれているためロック状態になり載置台３１は下降されず其のままの位置に維持されることになる。
【００１３】
なお操作ロッド２１が下降のときはコロ４１のロック状態が解除されていることは勿論である。
また操作ロッド２１が上昇のときはコロ４３のロック状態が解除されていることは勿論である。
同様に図４に示されるように操作ロッド２２と各テーパ体３６、３７との間にはそれぞれ載置台３１の押し上げコロ５１、５１が昇降自在に挿入されている。
また各テーパ体３６、３７と左右のレール１７、１８との間にはそれぞれ載置台３１の戻り止めコロ５３、５３が昇降自在に挿入されている。
【００１４】
そして各コロ５１、５３の下にはそれぞれ当該コロを上昇するためのスプリング５５がそれぞれ配設されている。
各ケース３２、３３の開口をそれぞれ封じるように配設されているのは矩形のレバー板４７、５７であり此等のレバー板４７，５７は上方が枢着されている。
レバー板４７、５７の各上縁には総てのコロ４１、４３、５１、５３を押し下げるための爪４０、５０がそれぞれ形成されている（図２ならびに図４を参照）。
【００１５】
図１ならびに図２の上方に示されるのはカードの払い出し装置であって該払い出し装置はフレーム９の両サイドが上方に突出して形成された一対の頂板部６１の間に取り付けられる。具体的にはカード払い出し装置が底のある長い角リング形のケース６２（図６を参照）を備えて該ケース６２を介在して一対の頂板部６１間に固定されている。図６に示されるようにケース６２の底部の背面側には大きな長方形の開口６３が形成されている。
【００１６】
そしてケース６２の両サイドの略中央には収容された一番上のカード１を繰り出すための繰り出しローラ手段たる繰り出しローラ６４の軸６５が掛け渡されている。なお繰り出しローラ６４外周の一部にはゴム製などの突起６６が形成されており該突起６６が回転により開口６３から突出してカード１を繰り出す。また軸６５には小さい矩形部６７（図５を参照）が回転自在に外装されるとともにケース６２内に固定された回転用モータたる電気モータ７１に回転自在に外装されている。この矩形部６７はコイル・スプリング（図示略）を介在して繰り出しローラ６４をカード１に押圧している。
【００１７】
したがって繰り出しローラ６４の軸６５はケース６２に対して上下に少し移動可能な長孔（図示略）などを介在して配設されている。
なお矩形部６７は図６において一部分のみを図示したが繰り出しローラ６４の両サイドに配設すると押圧が安定することは勿論である。
また繰り出しローラ６４を重くしておくとカード１を上から押圧することになるためスプリング手段が不要になることは勿論である。
【００１８】
図５において軸６５の右に示される細軸６８はケース６２の両サイド間に掛け渡されており該細軸６８には押し上げられて来るカード１の接触によって回動される少し長い作動棒６９が回転自在に取り付けられている。
なお作動棒６９は図６において一部分のみを図示したが繰り出しローラ６４の両サイドに配設して一対にするとカード１の検出（後記を参照）が確実になることは勿論である。
【００１９】
電気モータ７１の回動軸７２に外装されて固定されているのは小形のピニオン７３であり繰り出しローラの軸６５に外装されて固定された大きいギア７４と噛み合っている。図６に示されるようにケース６２底部の正面側中央には小さな細長孔７５が形成されている。そして該細長孔７５上方のケース６２の両サイドには繰り出されたカード２を送り出すための送り出しローラ手段たるローラ７６の軸７７が掛け渡されている。
【００２０】
なお送り出しローラ７６の軸７７には大きなギア７８が外装されて固定されており該ギア７８は前記のピニオン７３に噛み合わされている。
図５の左サイドに示される小さい矩形のものはＵ形の枠８１であってケース６２正面側の下方に取り付けられている。
この小枠８１内には送り出しローラ７６の下面をコイル・スプリング８２によって押圧する小形の補助のローラ８３が上下動自在に配設されている。
小枠８１内の舵形のものは大略Ω形の作動体８５であって該小枠８１に枢軸８４されている。
【００２１】
ローラ７６，８３によって送り出されて来たカード２が作動体８５の中央に形成された傾斜片８６に接触すると当該作動体８５は回動されてカード１が検出される（後記を参照）。なお作動体８５の一端には復元用の重り部８７が形成されている。また図５に示されるように補助ローラ８３の右サイドには該ローラ８３に押圧されて配設される逆転ローラ８８が取り付けられている。この逆転ローラ８８はカード１の下面に接触してカード１の二枚出しを未然に防止するためのものである。
【００２２】
なお上述されたカード払い出し装置の上方にある部材は該払い出し装置を覆うカバー８９である。
また図６の左に示される切り欠き９３は作動体８５の傾斜片８６を動き自在にするためのものである。
【実施例】
（カードの押し上げ装置）上述の構成からなる本実施例は例えば図２に示されるように手動によって一対のレバー板４７，５７の下縁をそれぞれ矢印のように上方へ回動する。
【００２３】
この結果、総ての爪４０，５０はスプリング４５，５５の作用に抗して総てのコロ４１，４３，５１，５３を押し下げることになる。
したがって総てのコロ４１，４３，５１，５３は挟持された状態すなわちロック状態が解除されることになって載置台３１は上昇あるいは下降が自由になる。
このようにして例えば手動で載置台３１を最も下に移動するとカード１を多量に積み上げることが出来る。
かくして電気モータ１２が駆動されて変心カム２４が半回転されると一対の操作ロッド２１，２２が僅かに上昇されることになる。
【００２４】
これらの操作ロッド２１，２２はカード１の厚さに対応して例えば約１ｍｍ上昇される。
これら操作ロッド２１，２２の上昇によってロック状態の四個のコロ４１，５１を介在して載置台３１は約１ｍｍ上昇されることになる。
さらに電気モータ１２が駆動されて変心カム２４が半回転されると一対の操作ロッド２１，２２が僅かに下降されることになる。
これらの操作ロッド２１、２２が下降されると四個のコロ４１、５１のロック状態が解除される。
【００２５】
しかしながら別の四個のロック状態のコロ４３，５３によって載置台３１は下降されず其のままの位置に維持されることになる。このようにして偏心カム２４の一回転毎に払い出される一枚のカード１の厚さに対応した上昇たとえば約１ｍｍの上昇が行われることになる。なおコロ４１，４３，５１，５３は図面から明らかなように円柱形であるが球形あるいは半円柱形あるい半球形などであっても良いことは勿論である。またテーパ体３４〜３７はケース３２，３３内に垂下して固定したがケース３２，３３内に起立固定しても良いことは勿論である。
【００２６】
この場合も図示のようにテーパ体３４〜３７の上方は幅が広く下方は幅が狭いことは勿論である。
またスプリング４５も図示の実施例のみに限定されるものではないことは勿論である。
なお本実施例では図２ならびに図４に示されているように四本のレール１５〜１８ならびに二本の操作ロッド２１，２２を使用したが図３に示されているように二本のレール１５，１６と一本の操作ロッド２１でも良いことは勿論である。
【００２７】
また図３に示されているように二本のレール１５，１６の間に操作ロッド２１が配置されているが一本のレール１５と操作ロッド２１のみであっても良いことは勿論である。
さらにカード押し上げ装置全体が起立された状態で説明されたが図面を横向きにした状態すなわち図示を省略したが装置全体が横転された状態の実施例でも本実施例が適用できることは勿論である。
この場合、カード１は横方向に押し出されることになって載置台３１はカードの押し出し台になることは勿論である。
【００２８】
前述のようにして下方から押し上げられて来た多数のカード１の最も上のカード１が作動棒６９の下端に接触する。カード１が作動棒６９の下端に接触して該下端が押し上げられると、当該作動棒６９の他端は下がり、結果として第1のセンサ手段たるセンサ９１によって作動棒６９の回動が検出される。作動棒６９の回動がセンサ９１により検出されると下方の電気モータ１２はストップされて多数カード１の押し上げが停止される。
【００２９】
このカード払い出しの準備状態においてスイッチ（図示略）などがオンされてカード払い出し信号があると上方の電気モータ７１が駆動されてピニオン７３，ギア７４、７８が回動されることになる。
ギア７４が回動されると繰り出しローラ６４が回転され最も上のカード１がゴム製の突起６６によって繰り出されることになる。
この繰り出されたカード１は回転されている送り出しローラ７６ならびに補助ローラ８３間に挟まれて外側に送り出される。
【００３０】
送り出されたカード２は傾斜片８６に接触し該傾斜片８６を押し下げることになり結果として作動体８５が回動されることになる。作動体８５が回動されると重り部８７が第２のセンサ手段たるセンサ９２から離れるため該センサ９２によってカード２の払い出しが確認されることになる。外側に払い出されたカード２がカード送り出し装置から離れると傾斜片８６は自由になり重り部８７が作用して作動体８５は元の位置に戻ることになる。かくしてセンサ９２が再び重り部８７を検出することになって電気モータ７１はストップされてピニオン７３，ギア７４、７８が停止されることになる。したがって、繰り出しローラ６４と送り出しローラ７６はその回転を停止する。
【００３１】
この間、繰り出しローラ６４は回転されているがゴム製の突起６６が一部分であるため次のカード１は繰り出されることが無い。
【００３２】
【発明の効果】
以上のような構成からなる本発明は、積層されたカード体が払い出される毎に正確に上方へ押し上げることができるため多数のカード体を積層した収納室の最も上のカード体のみを払い出すことができるという大きな効果が得られる。
そしてそのようなカードを一枚ずつ確実に払い出す制御は、カード収納室を押し上がってくる最上端のカードによって回動してカード体の押し上げ用モータをストップさせるよう第1のセンサ手段を作動させる作動棒によって、行わせることができる。
その場合に本発明では作動棒を、その回動支軸に対しカードと接触する前端までの長さより前記第1のセンサ手段を作動させる後端までの方が長くなっている構成としたので、前端がカードで押し上げられるストロークより後端の方が大きな作動ストロークとなる。このため、カード一枚分の上昇を作動棒が正確に検知して確実にセンサ手段を作動させ、押し上げモータの運転／停止を正確に制御することが出来るので、カードを一枚ずつ確実に払い出すことができる。しかもその機構は簡易なものである。
特にこの機構の作動棒であれば、僅かな回動であっても押し上げ用の電気モータの制御用のスイッチを作動させられるので、薄いカードの払い出しも十分に行うことができ、有効である。
さらに、カード体を繰り出し、送り出して払い出す際に、上方に押し上げられた最上端のカード体を検出して繰り出しローラ手段と送り出しローラ手段とを回転駆動すると共に、送り出しローラ手段によって送り出されたカード体を検出して確認し、且つ送り出しローラ手段によってカード体が払い出されたことを検出することができるので、最上端のカード体の送り出し確認とカード体の払い出し確認の二重チェックができ、払い出し装置におけるカード体の払い出しを確実に管理できる。
また、カード収納室の頂板部における有底ケースにあって、送り出しローラ手段と繰り出しローラ手段と第１のセンサ手段とが有底ケースの長手方向に沿って並設されてなるので、嵩だかにならずコンパクトに設計でき、しかもカード収納室の頂板部において、カード体の押し上げを停止して、積層する最上端のカード体のみを繰り出し、送り出して払い出すことができるので、例えば自動販売機内に本発明を設置した場合、カード体の払い出し位置を手の高さにすることで、下方部にカード体を収納するスペースができるためカード体の収納枚数を大幅に増大できるという大きな利点が得られる。
【図面の簡単な説明】
【図１】図１は本発明による一実施例の側面を示す概略的な断面端面図である。
【図２】図２は図１の正面を示す概略的な断面端面図である。
【図３】図３は図１の要部を拡大して示す断面端面図である。
【図４】図４は図３を平面から見た概略的な断面端面図である。
【図５】図５は図１の他の要部を拡大して示す概略的な断面端面図である。
【図６】図６は図５を平面から見た概略的な断面端面図である。
【符号の説明】
カード体・・・
１、２：カード、
第１のセンサ手段・・・
６９：作動棒、
９１：センサ、
繰り出しローラ手段・・・
６４：繰り出しローラ、
６６：突起、
７１：電気モータ、
７３：ピニオン、
７４：ギア、
第２のセンサ手段・・・
８５：作動体、
８６：傾斜片、
８７：重り部、
９２：センサ。
【図１】
0003838531.tif 000002
【図２】
0003838531.tif 000003
【図３】
0003838531.tif 000004
【図４】
0003838531.tif 000005
【図５】
0003838531.tif 000006
【図６】
0003838531.tif 000007